(57)【要約】【課題】従来のデジタル放送受信機は、番組表から番組を検索する際に、例えば所望の番組が表示されている時間帯から離れている場合やチャンネル数が多い場合などにスクロール操作して画面を動かさなければならないため、検索には操作の手数がかかるとともに時間がかかるという問題があり、また、キーワードを入力して検索を行う場合には、専用のメニューを別画面で表示しなければならず、操作が煩雑になるという問題があった。【解決手段】番組表を構成する情報を、直接番組を絞り込むための検索キーとして指定し、検索された番組を番組リスト表示し、その番組リストから所望の番組を指定することにより、操作を単純化し検索時間を短縮する予約登録方式を提供する。【選択図】          図１
2004200757.tif 000002
【特許請求の範囲】
【請求項１】
受信したデジタル放送波に含まれる番組表データを記憶する番組表データ記憶手段と、
前記番組表データ記憶手段に記憶された番組表データに基づいて番組表を表示させるための番組表表示データを生成する番組表表示データ生成手段と、
番組表に表示された番組表データからなる番組情報を検索用キー情報として指定する検索キー情報指定手段と、
前記検索キー情報指定手段により指定された検索キー情報を含む番組を前記番組表データから検索する番組検索手段と、
前記番組検索手段により検索された番組のリスト表示データを生成する番組リスト表示データ生成手段と、
前記番組リストから番組を指定する番組指定手段と、
前記番組指定手段により指定された番組が放送される時刻に該番組を受信するように予約登録する予約登録手段と、
を備えたデジタル放送受信機。
【請求項２】
前記番組表は、チャンネル番号と放送時刻と番組名を含み、前記番組表において番組名の選択が可能であり、前記番組表は選択されている番組名の番組の詳細情報の内の少なくとも一部をさらに含むものであることを特徴とする請求項１記載のデジタル放送受信機。
【請求項３】
前記番組表表示データ生成手段が前記番組情報の内、検索用キー情報として指定することが可能な番組情報をその他の表示要素とは区別して表示することを特徴とする請求項１記載のデジタル放送受信機。
【請求項４】
前記検索キー情報指定手段が、二つ以上の番組情報を指定することを特徴とする請求項１記載のデジタル放送受信機。
【請求項５】
前記番組リスト表示データ生成手段が、番組リスト内の所定の欄において当該番組の複数の情報を切り換えて表示することを特徴とする請求項１記載のデジタル放送受信機。
【請求項６】
前記番組リスト表示データ生成手段が、前記番組の複数の情報切り換えを促す表示を画面上に有することを特徴とする請求項５記載のデジタル放送受信機。
【請求項７】
前記番組リスト表示データ生成手段が、指定された番組の持つ詳細情報を別画面で表示することを特徴とする請求項６記載のデジタル放送受信機。
【請求項８】
前記番組表データ記憶手段に貯えられている番組表データからチャンネル毎に当該チャンネルの代表ジャンルを決定するジャンル決定手段を有し、前記番組表表示データ生成手段は前記決定された代表ジャンルを含めて番組表表示データを生成することを特徴とする請求項１記載のデジタル放送受信機。
【請求項９】
前記番組表データに含まれる全番組の放送期間の内で所定期間を指定する期間指定手段を有し、前記ジャンル決定手段が前記所定期間内の番組表データからチャンネル毎の代表ジャンルを決定することを特徴とする請求項８記載のデジタル放送受信機。
【請求項１０】
番組表データに基づいて番組表表示データを生成するステップと、
番組表を構成する番組情報を検索用キー情報として指定するステップと、
指定された検索キー情報を含む番組を前記番組表データから検索するステップと、
検索された番組のリスト表示データを生成するステップと、
画面に表示された番組リストから所望の番組を指定するステップと、
指定された番組が放送される時刻に該番組を受信するように予約登録するステップと
を有するデジタル放送受信機の番組検索方法。
【請求項１１】
前記記憶手段に貯えられている番組表データからチャンネル毎に当該チャンネルの代表ジャンルを決定するステップを有していることを特徴とする請求項１０記載のデジタル放送受信機の番組検索方法。
【請求項１２】
前記番組表データに含まれる全番組の放送期間の内で各チャンネル毎の代表ジャンルを決定するための所定期間を指定するステップを有していることを特徴とする請求項１１記載のデジタル放送受信機の番組検索方法。
【発明の詳細な説明】
【０００１】
【発明の属する技術分野】
本発明は、デジタル放送波に含まれて配信される番組情報を利用して番組を選択し、視聴や録画の予約登録を行うデジタル放送受信機およびデジタル放送受信機の番組検索方法に関するものである。
【０００２】
【従来の技術】
従来のデジタル放送受信機は、デジタル放送を受信する手段と、デジタル放送の番組表データを記憶する記憶手段と、番組表データに基づいて放送時間帯順に番組のタイトルを配列した番組表を表示する表示手段と、表示されている番組のタイトル中の文字列を指定する指定手段と、指定された文字列を含むタイトルの番組を番組表データから検索する検索手段と、検索された番組を受信するように予約登録する制御手段とを備えている。
【０００３】
【特許文献１】
特開２００１−２５７９６１（図２、６）
【発明が解決しようとする課題】
従来のデジタル放送受信機は、以上のように構成されており、番組表から番組を検索する際に、画面上には数時間、多くても１日分の数チャンネル分表示がされているが、例えば所望の番組が表示されている時間帯から離れている場合やチャンネル数が多い場合などに幾度もスクロール操作して画面を動かさなければならないため、検索には操作の手数がかかるとともに時間がかかるという問題があった。
【０００４】
また、キーワードを入力して検索を行う場合には、専用の入力画面を別画面で表示し、その画面上でキーワードを入力するか、与えられたキーワード群から選択しなければならず、またキーワードを細分化すればするほど階層を多くする必要があり、操作回数が増加し煩雑になるという問題があった。
【０００５】
本発明は、上記のような問題点を解決するためになされたもので番組表を構成する情報を、番組表上で直接番組を絞り込むための検索キーとして指定し、検索された番組を番組リスト表示し、その番組リストから所望の番組を指定することにより、操作を単純化し検索時間を短縮する予約登録方式を提供することを目的とする。
【０００６】
【課題を解決するための手段】
本発明に係るデジタル放送受信機は、受信したデジタル放送波に含まれる番組表データを記憶する番組表データ記憶手段と、前記番組表データ記憶手段に記憶された番組表データに基づいて番組表を表示させるための番組表表示データを生成する番組表表示データ生成手段と、番組表に表示された番組表データからなる番組情報を検索用キー情報として指定する検索キー情報指定手段と、前記検索キー情報指定手段により指定された検索キー情報を含む番組を前記番組表データから検索する番組検索手段と、前記番組検索手段により検索された番組のリスト表示データを生成する番組リスト表示データ生成手段と、前記番組リストから番組を指定する番組指定手段と、前記番組指定手段により指定された番組が放送される時刻に該番組を受信するように予約登録する予約登録手段とを備えるものである。
【０００７】
【発明の実施の形態】
発明の実施の形態１.
以下、本発明の実施の形態１について図を使用して説明する。図１に本発明に係るデジタル放送受信機の実施の形態１の構成をブロック図にて示す。
図１において、デジタル放送受信機１００に接続されたアンテナ１により受信されたデジタル放送波は、受信手段２により予め設定されているチャンネルの映像・音声および番組表データを含むデータに変換される。この出力の内の番組表データは番組表データ記憶手段３に記憶され、番組表表示データ生成手段４によって番組表として出力される。
検索キー情報指定手段５は、番組表に表示されている情報（例えば、日付、チャンネル、開始・終了時刻、番組名等）を入力手段６により使用者が入力することによって番組検索用キー情報として指定する。
【０００８】
番組検索手段７は、指定された検索キー情報に合致する番組を番組表データ記憶手段３に記憶されている番組表データから検索する。
番組リスト表示データ生成手段８は、番組検索手段７により検索された該当番組を番組リストの形式にして出力する。
番組指定手段９は、画面に表示された上記番組リストを見た使用者が所望の番組を見つけて入力手段６から入力することによって使用者の所望の番組を指定する。
予約登録手段１０は、指定された番組が放送される時刻に受信するように予約登録する。
【０００９】
予約登録された番組の開始時刻になると、制御手段１１は受信手段２に対し予約登録された番組を放送しているチャンネルを選局する指示を行い、受信手段２は指示されたチャンネルを選局し当該チャンネルの映像・音声を出力する。
受信手段２、番組表表示データ生成手段４および番組リスト表示データ生成手段８のそれぞれの出力は、出力信号合成手段１２によって合成されＴＶ受像機１３やＶＴＲ１４に向けて出力される。
【００１０】
さらに、予約登録された番組の開始時刻に制御手段からＶＴＲやその他の録画装置へ制御コードを出力するようにしておき、録画機材に対するコントロールを行うようにしておいてもよい。
また、画面表示または警告音の発音によって使用者への通知を行うようにしておいてもよい。
【００１１】
なお、制御手段１１は、番組指定手段９により指定された番組が現在時点で放送中であれば、予約登録対応の動作を行わずに受信手段２に所望の番組を放送しているチャンネルの選択指示を行うという通常の選局処理と変わらない処理を行う。
【００１２】
次に、デジタル放送受信機１００における予約登録の動作について、図２のフローチャートを参照して説明する。
ステップＳ２１にて番組表データ記憶手段３に記憶されている番組表データを番組表表示データ生成手段４により番組表形式で表示する。
【００１３】
続いてステップＳ２２にて、検索キー情報指定手段５が使用者が入力手段６で入力した番組表の表示情報を番組検索用キー情報として指定する。
上記検索用キー情報は同時に複数の指定を可能としており、ステップＳ２３にて情報の指定が終了か否かを問い、更に指定する場合はステップＳ２２に戻り、指定が終了すれば次のステップＳ２３へ向かう。
【００１４】
ステップＳ２３にて番組表データ記憶手段３内の番組表データを上記指定された検索用キー情報により検索し、当該キー情報に合致する番組を検索、抽出する。
ステップＳ２４にて抽出された番組を番組リスト表示データ生成手段８により番組リスト形式にして出力する。
【００１５】
上記番組リスト表示において、画面サイズの制約等から番組表データが保有する番組の詳細情報をすべて同時に表示することはできない。このため、所定の欄において表示する情報の内容を変更できるようにしている。これについては後述する。ステップＳ２５にて表示を変更する場合はステップＳ２４へ戻り、これ以上変更の必要がなくなれば次のステップＳ２６へ向かう。
【００１６】
ステップＳ２６にて、使用者がさらに番組の詳細を希望する場合はステップ２７に進んですべての詳細情報を一覧する別画面を表示する。ここから番組リスト表示に戻る場合はステップＳ２４に戻る。
ステップＳ２８にて使用者は表示された番組リストから所望の番組を指定する。
ステップＳ２９にて予約登録手段１０が上記指定された番組を予約登録する。
【００１７】
図３に、番組表の画面表示の一例を示す。基本的にはチャンネル、放送時刻による２軸マトリクスに番組名を配置するもので、チャンネル、時刻共に不可視部分についてはスクロール動作させて移動させることで可視化する。さらに日付の選択と、上段部に番組表内でカーソルが置かれた番組の詳細情報の一部からなる番組概略情報を表示する枠を設けている。この番組概略情報についても検索用キー情報として指定可能とするためである。
【００１８】
図３（ａ）は使用者が検索用キー情報として指定可能な情報について二重枠で示したものである。図３（ｂ）は同じく検索用キー情報として指定可能な情報について各情報の枠内に操作用のボタンアイコンを用意したものである。この他に、図示はしないが検索用キー情報として指定可能な情報について他とは表示色を変更しておいたり、フォントの変更や網掛け等で使用者に分かりやすく表示するようにしていてもよい。さらに当該情報が選択された状態を表示するために、フォントやボタンの色調を反転させる等画面表示方法においてすでに世に知られている画面表示方法で表示してもよい。
【００１９】
使用者は、表示されている情報を一つだけではなく複数個指定することができる。検索キー情報指定手段５はキー情報の選択が終了するまで選択を継続し、その途上で既に選択済みのキーを取り消すこともできる。
【００２０】
図４に、指定された検索用キー情報によって図３に示した番組表の時点において指定され検索・抽出された番組を番組リスト形式で表示している例を示す。
図４（ａ）〜（ｃ）は検索キー情報をそれぞれ一つ指定した結果であり、図４（ａ）はチャンネル０１０を、図４（ｂ）は時刻１５：００を、図４（ｃ）は番組名番組１を指定して検索したものである。
図４（ｄ）は検索用キー情報としてチャンネル０１０および時刻１４：００の複数指定による結果を示している。
【００２１】
番組リストは番組が有する詳細情報の内、予め設定されている項目をリスト形式で表示するものである。図４においては予め設定された項目の例としてチャンネル、日付、時間、番組名を採用している。これは画面サイズとの関連で、ある番組について受信した番組表データに含まれるすべてのデータ（例えば、番組の放送回数、再放送に関する情報、放送回数毎に異なる番組内容や出演者情報等が挙げられる）がこのような番組リストでは欄が足らず一度に表示できない。
【００２２】
そこで、図４の番組リストには右上部に番組情報変更を可能にする表示変更部を設けている。使用者がこの部分にある「≪」、「≫」ボタンを押すことで、番組リストの所定の欄、図４の例においては最右欄における表示情報を切り換えることができる。
図４（ｅ）、（ｆ）は図４（ｃ）の番組名表示から図４（ｅ）では出演者表示へ、図４（ｆ）では番組概要表示へ切り換えた状態を示している。
尚、上記表示変更部の表示に関しては画面表示にて使用者に認識させうるものであれば図４で示した例に限るものではない。
【００２３】
図５はある番組の詳細情報のすべてを表示する表示例であって、番組リスト表示データ生成手段がこの状態の表示を使用者のさらに詳しく確認したいという要求に従って表示できるようにしてもよい。また、この詳細情報表示はその時点ですでに表示されている番組リスト表示の上にオーバーレイして表示されてもよい。
【００２４】
上記したように、本発明の実施の形態１によれば番組表に表示されている番組情報をその画面上で直接検索用キー情報として指定できるので、キーワードを別画面で入力したりすることが不要となり、複数の画面を操作することなく簡便に指定できるので検索時間を短縮し、予約登録作業が容易に行える。
【００２５】
さらに、検索用キー情報を複数個指定することができるので、検索後の番組数を絞り込むことができ、検索時間を短縮することが可能である。
【００２６】
また、検索後の番組リスト表示において所定の欄に番組詳細情報を切り換えて表示することを可能としたので、選択する番組が所望の番組に一致しているかを確認することが番組リスト表示のみで行え、操作の単純化が図れる。
【００２７】
さらに番組の持つ全ての詳細情報を番組リスト表示にオーバーレイして表示することができるので、使用者が確実に所望の番組であるかの確認を行うことができる。
【００２８】
発明の実施の形態２.
図６に本発明に係るデジタル放送受信機の実施の形態２の構成をブロック図にて示す。
デジタル放送受信機２００は、番組表データ記憶手段３に記憶されている番組表データの全期間を集計して各チャンネルの代表ジャンルを決定するジャンル決定手段１５と、集計する期間を使用者からの入力によって設定する期間指定手段１６とを有するように構成されたものである。図６に示されたその他の構成要素は実施の形態１と同じである。
【００２９】
図７に、デジタル放送受信機２００における予約登録の動作についてのフローチャートを示す。
【００３０】
現在のデジタル放送波は各チャンネルを受信すれば、その放送波に全チャンネルの８日分の番組表データが含まれている。ステップＳ３１にて、ジャンル決定手段１５は、番組表データ記憶手段３に記憶されているその全期間の番組表データから各チャンネル毎の番組毎のジャンルを集計してそのチャンネルで最も放送時間の長いジャンルを当該チャンネルの代表ジャンルとし、代表ジャンルを付け加えた番組表データを番組表データ記憶手段３に戻す。
【００３１】
８日間という全期間での集計だけでは、例えばある１日だけ「○○特集」というような放送がある場合に代表ジャンルと異なる場合も考慮されるので、ステップＳ４１にて使用者が入力手段６から所望する集計期間を期間指定手段１６に入力して指定することができるようにする。
【００３２】
続いてステップＳ４２にて、指定された集計期間だけ番組表データを各チャンネル毎、番組毎にジャンルを集計してそのチャンネルで最も放送時間の長いジャンルを当該チャンネルの代表ジャンルとし、代表ジャンルを付け加えた番組表データを番組表データ記憶手段３に戻す。
以下のフローは実施の形態１の図２と同じであるのでここでの記載は省略する。
【００３３】
図８はチャンネル番号の横に代表ジャンル名を表示した番組表の画面表示の例を示す。このように、チャンネル表示部分の付近にそのチャンネルの代表ジャンルを表示することにより、当該ジャンルを見ながら検索を行うことで検索時間を短縮することができる。
また、表示されたジャンル名を検索用キー情報として指定することもできる。
【００３４】
以上、本発明の実施の形態について説明したが、本発明はこうした実施の形態に何ら限定されるものではなく、例えば、デジタル放送受信機の形態については、単にセットトップボックスにはとどまらず、テレビやＶＴＲ等に内蔵されているものや、ホームサーバー、ＣＡＴＶやインターネット用途での番組再配信装置、ビデオライブラリなどのビデオ検索装置等、本発明の要旨を逸脱しない範囲において種々なる態様で実施し得ることは勿論である。
【００３５】
【発明の効果】
本発明によれば番組表に表示されている番組情報をその画面上で直接検索用キーとして指定できるので、キーワードを別画面で入力したりすることが不要となり、複数の画面を操作することなく簡便に指定できるので検索時間を短縮し、予約登録作業が容易に行える。
【図面の簡単な説明】
【図１】本発明の実施の形態１に係るデジタル放送受信機の構成を示すブロック図。
【図２】本発明の実施の形態１に係るデジタル放送受信機における予約登録の動作について説明するフローチャート。
【図３】本発明の実施の形態１における番組表の画面表示の一例。
【図４】本発明の実施の形態１における番組リストの画面表示の一例。
【図５】ある番組の詳細情報のすべてを表示する表示例。
【図６】本発明の実施の形態２に係るデジタル放送受信機の構成を示すブロック図。
【図７】本発明の実施の形態２に係るデジタル放送受信機における予約登録の動作について説明するフローチャート。
【図８】本発明の実施の形態２に係るチャンネル番号の横に代表ジャンル名を表示した番組表の画面表示の例。
【符号の説明】
１  アンテナ、        ２  受信手段、        ３  番組データ記憶手段、
４  番組表表示データ生成手段、              ５  検索キー情報指定手段、
６  入力手段、                              ７  番組検索手段、
８  番組リスト表示データ生成手段、          ９  番組指定手段、
１０  予約登録手段、                        １１  制御手段、
１２  出力信号合成手段、                    １５  ジャンル決定手段、
１６  期間指定手段、              １００、２００  デジタル放送受信機。
【図１】
2004200757.tif 000003
【図２】
2004200757.tif 000004
【図３】
2004200757.tif 000005
【図４】
2004200757.tif 000006
【図５】
2004200757.tif 000007
【図６】
2004200757.tif 000008
【図７】
2004200757.tif 000009
【図８】
2004200757.tif 000010